(57)【要約】【課題】本体グリップ部に対するヘッド部の傾動可能な範囲を大きくとりつつ、本体グリップ部とヘッド部との間の間隙を小さくする。【解決手段】上端面に体毛処理用の刃ヘッド３，４を備えたヘッド部１と、このヘッド部１を上下にフロート自在に且つ傾動自在に支持する本体グリップ部２とからなり、ヘッド部１の下部が本体グリップ部２の上部に形成された開放室内２６に納められて、該開放室内においてヘッド部の上記支持がなされている。上記ヘッド部は傾動方向における下方側の幅が上方側の幅より広くなっているネック部１０ｂを備え、本体グリップ部２の上端面に形成されている開口の部分に上記ネック部１０ｂが位置している。本体グリップ部に対するヘッド部の傾動範囲が大きくとも本体グリップ部とヘッド部との間の間隙を小さくすることができる。【選択図】図１
2006333998.tif 000002
【特許請求の範囲】
【請求項１】
上端面に体毛処理用の刃ヘッドを備えたヘッド部と、このヘッド部を上下にフロート自在に且つ傾動自在に支持する本体グリップ部とからなるとともに、ヘッド部の下部が本体グリップ部の上部に形成された開放室内に納められて、該開放室内においてヘッド部の上記動きを自在とする支持がなされている体毛処理器具であり、上記ヘッド部は傾動方向における下方側の幅が上方側の幅より広くなっているネック部を備えて、本体グリップ部の上端面に形成されている開口の部分に上記ネック部が位置していることを特徴とする体毛処理器具。
【請求項２】
上記ヘッド部におけるネック部よりも下方に位置する下端部は、傾動方向における幅がネック部よりも小であることを特徴とする請求項１記載の体毛処理器具。
【請求項３】
左右方向に傾動自在に支持されているヘッド部は、そのネック部よりも下方側の外面に環状部材が装着されており、該環状部材の前面及び背面に夫々設けられた左右２つの軸部が本体グリップ部の開放室内面に形成されている軸受け部で回動且つ上下動自在に支持されるとともに、環状部材の左右端に夫々設けられたばね受け部でヘッド部を上方に向けて付勢する押し上げばねを受けていることを特徴とする請求項１または２記載の体毛処理器具。
【請求項４】
環状部材はヘッド部の外殻及び本体グリップ部の外殻と異なる材質で形成されたものであるとともに、該環状部材が本体グリップ部の開放室内面に摺動接触して本体グリップ部に対するヘッド部の動きのガイドを行う摺動ガイド部材を兼ねていることを特徴とする請求項３記載の体毛処理器具。
【発明の詳細な説明】
【技術分野】
【０００１】
本発明は、電気かみそりや脱毛器のような体毛処理のための体毛処理器具に関するものである。
【背景技術】
【０００２】
電気かみそりや脱毛器のような体毛処理器具においては、体毛処理用の刃ヘッドを上端面に備えたヘッド部を上下フロート自在に且つ傾動自在に本体グリップ部で支持することで、刃ヘッドと肌との接触圧を適正に保つとともに刃ヘッドが肌に添うようにすることがなされている。
【０００３】
このような体毛処理器具では、本体グリップ部の上端開口からヘッド部を突出させている場合、本体グリップ部の上記開口の縁と、ヘッド部における上記開口の内側に位置する部分との間には相応の間隙をあけておかないと、ヘッド部を傾動させることができなくなる。
【０００４】
しかし、上記のような間隙は、髭屑等が本体グリップ部の内部に入り込んでしまう原因となるために傾動範囲を大きくとりつつ、間隙は小さくすることが望まれる。
【特許文献１】特開２００４−０１６５２７号公報
【発明の開示】
【発明が解決しようとする課題】
【０００５】
本発明は上記の従来の問題点に鑑みて発明したものであって、本体グリップ部に対するヘッド部の傾動可能な範囲を大きくとりつつ、本体グリップ部とヘッド部との間の間隙を小さくすることができる体毛処理器具を提供することを課題とするものである。
【課題を解決するための手段】
【０００６】
上記課題を解決するために本発明に係る体毛処理器具は、上端面に体毛処理用の刃ヘッドを備えたヘッド部と、このヘッド部を上下にフロート自在に且つ傾動自在に支持する本体グリップ部とからなるとともに、ヘッド部の下部が本体グリップ部の上部に形成された開放室内に納められて、該開放室内においてヘッド部の上記動きを自在とする支持がなされている体毛処理器具であり、上記ヘッド部は傾動方向における下方側の幅が上方側の幅より広くなっているネック部を備えて、本体グリップ部の上端面に形成されている開口の部分に上記ネック部が位置していることに特徴を有している。
【０００７】
このような構成とすることにより、本体グリップ部に対するヘッド部の傾動可能な範囲を大きくとりつつ、本体グリップ部とヘッド部との間の間隙を小さくすることができる。
【０００８】
この時、上記ヘッド部におけるネック部よりも下方に位置する下端部は、傾動方向における幅がネック部よりも小であることが望ましい。本体グリップ部の幅を抑えつつ、ヘッド部の傾動範囲を大きくとることができる。
【０００９】
また、左右方向に傾動自在に支持されているヘッド部は、そのネック部よりも下方側の外面に環状部材が装着されており、該環状部材の前面及び背面に夫々設けられた左右２つの軸部が本体グリップ部の開放室内面に形成されている軸受け部で回動且つ上下動自在に支持されるとともに、環状部材の左右端に夫々設けられたばね受け部でヘッド部を上方に向けて付勢する押し上げばねを受けていると、本体グリップ部によるヘッド部の支持を簡便な部品構成で達成することができる。
【００１０】
特に、環状部材はヘッド部の外殻及び本体グリップ部の外殻と異なる材質で形成されたものであるとともに、該環状部材が本体グリップ部の開放室内面に摺動接触して本体グリップ部に対するヘッド部の動きのガイドを行う摺動ガイド部材を兼ねていると、ヘッド部の不要な動きを抑制した支持を行うことが容易となる。
【発明の効果】
【００１１】
本発明は、本体グリップ部の開放室内に下部が納められているヘッド部が、傾動方向における下方側の幅が上方側の幅より広くなっているネック部を本体グリップ部の開口の部分に位置しているために、本体グリップ部に対するヘッド部の傾動可能な範囲を大きくとった状態のままで本体グリップ部の開口縁とヘッド部のネック部との間の間隙を小さくして、該間隙から本体グリップ部に髭屑等の塵埃が侵入してヘッド部の動きを阻害してしまう虞を小さくすることができる。
【発明を実施するための最良の形態】
【００１２】
以下、本発明を添付図面に示す実施形態に基いて説明すると、図に示す体毛処理器具は電気かみそりであって、該電気かみそりは複数の刃ヘッド３，４，３を上端面に備えているヘッド部１と、このヘッド部１を上下動自在且つ左右に傾動自在に保持している本体グリップ部２とからなり、上記ヘッド部１は図３〜５及び図１２に示すように、ベース部１０とこのベース部１０上に着脱自在に配設される保持枠１１、保持枠１１に対して着脱自在となっている取付枠１２等を備えており、各刃ヘッド３，４，３は上記取付枠１２に取り付けられている。図中１００はベース部１０に設けられた保持枠１１の着脱用の釦、１２０は取付枠１２が備えている着脱用の釦である。
【００１３】
上記ベース部１０は上部の幅広部１０ａと下部の小径部１０ｃ、この両者の間に位置するネック部１０ｂを有しており、その上端面の開口は図１２に示すカバー１３にて閉じられていて、カバー１３の中央部にはベース部１０の幅広部１０ａ内に配設された２つの駆動子１６，１６の一部が挿通されて上方へ突出している。図１２中の１４は、この挿通部の防水のための防水ゴム、１５は防水ゴム１４の固定用の固定板である。
【００１４】
ベース部１０の幅広部１０ａ内に収納した上記駆動子１６，１６は、小径部１０ｃ内に収納されているモータ８の回転出力を偏心軸８１，８２を介して受けて左右方向の往復動に変換するもので、カバー１３よりも上方に突出する部分には刃ヘッド３，３における内刃３０，３０が夫々連結される。また、一方の駆動子１６には刃ヘッド４の内刃を往復動させるための連結子１７が装着され、他方の駆動子１６には後述するトリマー刃の駆動用の連結子１８が装着される。図１２中の１９は刃保護カバーである。
【００１５】
本体グリップ部２は、図１１に示すように、前後二つ割りのハウジング２１，２２と、両ハウジング２１，２２の左右側面に被せられる滑り止めカバー２３，２３と、両ハウジング２１，２２の下端に被せられる下部カバー２４とで構成されるもので、その前面部にはスイッチブロック２７が配設され、背面にはハウジング２２の上部から立ち上がる支持片２８の外面側に配されたトリマー刃ブロック５が位置している。なお、該トリマー刃ブロック５は、下部のハンドル部を上方にスライドさせれば上部の刃部分が回動突出し、この時、上記連結子１８に連結されて往復動が伝達される。
【００１６】
本体グリップ部２の内部空間は、上部の開放室２６と下部の密閉室２５とに分けられており、Ｏリング２９による防水がなされた密閉室２５内には図６に示す二次電池３５や回路ブロック３６が納められている。
【００１７】
本体グリップ部２の上部開放室２６は、前記ヘッド部１における小径部１０ｃが納まる部分であるとともにヘッド部１を上下動自在に且つ左右に傾動自在となるように支持する部分であって、小径部１０ｃの上部前後面の左右に夫々設けられた軸部７０，７０を受ける受け溝７８，７８をハウジング２１，２２の内面に備えており、また左右一対の押し上げばね７７，７７の下端側を受けるばね受け部２１７，２１７をハウジング２１の内面に備えている。上記受け溝７８，７８は軸部７０，７０の回転を許すとともに軸部７０，７０の上下動を許すものとなっている。
【００１８】
前記押し上げばね７７，７７は、その上端がヘッド部１におけるネック部１０ｂの左右下端面に位置するばね受け部７１，７１で受けられることから、これら押し上げばね７７，７７によりヘッド部１は上方へと付勢される。
【００１９】
本体グリップ部２に対してヘッド部１を押し込めば、ヘッド部１は押し上げばね７７，７７による付勢に抗して本体グリップ部２内に沈み込むものであり、またヘッド部１の左右いずれか一方側を押し込めば、ヘッド部１は他方側に位置する軸部７１を中心として上記一方側の押し上げばね７７を圧縮しつつ回動して傾く。なお、ネック部１０ｂよりも小径部１０ｃの幅を小さくしているのは、本体グリップ部２の幅を小さくしつつヘッド部２の左右方向の傾動範囲を大きくとることができるようにしているためである。
【００２０】
ここにおいて、ヘッド部１の上記動きをスムーズとするために且つがたつきが生じないようにするために、ヘッド部１における本体ハウジング２と接触する部分は前後面夫々３箇所に限定している。背面側の３箇所は、小径部１０ｃの上部左右に位置する２つの軸部７１，７１と、小径部１０ｃの背面下端に配した接触部７５であり、前面側の３箇所は、小径部１０ｃの上部左右に位置する２つの軸部７１，７１と、小径部１０ｃの前面下部寄りの部分に配した接触部７２であり、ヘッド部１が上下動及び傾動を行う時、これらの接触箇所がハウジング２１，２２内面に摺接することで、動きのガイドを行う。
【００２１】
また、同じ材質のもの同士が摺接する場合、その摩耗が激しくなることから、ここではポリオキシメチレン樹脂（ジュラコン）等で形成されるとともにヘッド部１のベース部１０に装着された環状部材７に上記４つの軸部７１と受け部７２とを設けている。そして接触部７５も同じくポリオキシメチレン樹脂（ジュラコン）等で形成されて小径部１０の背面側下端に装着されたものとしている。
【００２２】
上記環状部材７は、上述のように４つの軸部７０と接触部７２に加えて、前記押し上げばね７７を受けるばね受け部７１，７１も一体に備えたもので、該ばね受け部７１，７１を有する部分と小径部１０ｂとの間に生じる隙間による余裕と環状部材７が備える弾性とを利用して、ベース部１０に小径部１０ｃ側から取り付けられ、小径部１０ｃから突出して軸部７０の内側に係合するボス１０５や接触部７２が嵌る溝１０６（図１３参照）やネック部１０ｂの下端面などによりベース部１０に位置決め固定される。
【００２３】
また環状部材７とは別部品として形成されている接触部７５は、ヘッド部１側のモータ８と本体グリップ部２側の回路ブロック３６とを接続する配線の防水のための防水チューブ８０のヘッド部１側の端部をベース部１０に固定するための部材を兼ねている。ちなみに接触部７５は図１０において右方側から小径部１０ｃに差し込まれて先端のフック部をベース部１０に係止することで防水チューブ８０の端部をベース部１０との間で挟持固定する。
【００２４】
なお、防水チューブ８０の回路ブロック３６側の端部は、密閉室２５と開放室２６との間の隔壁上に配設固定される押さえ板４５と隔壁との間で挟持固定される。押さえ板４５から立ち上がるリブ４６は、開放室２６内で可動となっているベース部１０の小径部１０ｃ下端面から導出されている防水チューブ８０に所要の屈曲状態を保たせるためのものであり、またハウジング２１外面と開放室２６との間を連通させている窓２１０（図１０及び図１１参照）は、ハウジング２１，２２を組み合わせた時点での防水チューブ８０の状態を外部から観察するためのものであり、また窓２１０は開放室２６内に入りこんだ水の排出のための部分としても機能する。
【００２５】
ところで、本体グリップ部２に対してヘッド部１を上下動自在とするだけでなく、左右に傾動自在としたものでは、ヘッド部１が挿通される本体ハウジング２の上端開口の開口縁２０と、ヘッド部１における開口縁２０の内周側に位置することになるネック部１０ｂとの間の隙間を大きくとっておかないと、ヘッド部１の傾動に支障が生じる。そして隙間が大きいということは、この部分から本体グリップ部２の開放室２６内に髭屑等の塵埃が入りやすいということになる。
【００２６】
このために、左右の傾動時の動きの回転中心Ａ１，Ａ２（図７参照）となる左右の軸部７１，７１を上記開口縁２０よりも下方に位置させたものにおいては、ネック部１０ｂを一定の径のものとしておくと、ヘッド部１が沈み込んでいない時に上記隙間が最大となることに鑑み、ネック部１０ｂの下部側が上部側よりも幅広となるようなテーパをネック部１０ｂに持たせている。なお、このような構成であると、ヘッド部１を真っ直ぐに沈ませた場合、開口縁２０とネック部１０ｂとの間の隙間が大きくなることになるが、本体グリップ部２を手に持ってヘッド部１を肌に押し当てた時のヘッド部１は、左右いずれかに傾くことが主たる動きとなるために、問題となることはない。
【図面の簡単な説明】
【００２７】
【図１】本発明の実施の形態の一例の正面図である。
【図２】同上の右側面図である。
【図３】同上のヘッド部の正面図である。
【図４】同上のヘッド部の右側面図である。
【図５】同上のヘッド部の背面図である。
【図６】同上の縦断面（図１中のＡ−Ａ線断面）図である。
【図７】同上の横断面（図２中のＢ−Ｂ線断面）図である。
【図８】同上の水平断面（図２中のＣ−Ｃ線断面）図である。
【図９】同上の一部部品を外した状態の背面図である。
【図１０】同上の一部部品を外した状態の縦断面（図９中のＤ−Ｄ線断面）図である。
【図１１】同上の本体グリップ部の分解斜視図である。
【図１２】同上のヘッド部の分解斜視図である。
【図１３】同上のヘッド部のベース部の分解斜視図である。
【符号の説明】
【００２８】
１    ヘッド部
２    本体グリップ部
３    刃ヘッド
４    刃ヘッド
１０ｂ  ネック部
２０    開口縁
２６    開放室
【図１】
2006333998.tif 000003
【図２】
2006333998.tif 000004
【図３】
2006333998.tif 000005
【図４】
2006333998.tif 000006
【図５】
2006333998.tif 000007
【図６】
2006333998.tif 000008
【図７】
2006333998.tif 000009
【図８】
2006333998.tif 000010
【図９】
2006333998.tif 000011
【図１０】
2006333998.tif 000012
【図１１】
2006333998.tif 000013
【図１２】
2006333998.tif 000014
【図１３】
2006333998.tif 000015